【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
ネットワーク・ノードによる複数のリソース割り当てのそれぞれに関して、割り当てテーブルを、固定長の第１部分と、少なくとも１つの可変長の第２部分とに区分することと；
ユーザ群により事前に知られているトランスポート・フォーマットを少なくとも前記第１部分に対して使用して、前記ネットワーク・ノードから前記ユーザ群へ、前記割り当てテーブルの前記部分を伝送することと
を含む方法。
【請求項２】
前記第１部分は、前記少なくとも１つの第２部分の長さについての情報を含む、請求項１に記載の方法。
【請求項３】
前記割り当てテーブルのうち特定の割り当てテーブルが２つ以上の第２部分を含む場合には少なくとも、前記特定の割り当てテーブルの前記第１部分は、前記特定の割り当てテーブル内の第２部分の数についての情報を含む、請求項１又は２に記載の方法。
【請求項４】
前記第１部分は、前記少なくとも１つの第２部分のリソース位置についての情報を含む、請求項１から３のいずれかに記載の方法。
【請求項５】
前記第２部分は、ユーザ機器固有エントリのリソース・シグナリングをそれぞれ含む１つ以上のチャネル符号化ブロックを含む、請求項１から４のいずれかに記載の方法。
【請求項６】
前記割り当てテーブルを少なくとも２つの第２部分に区分する場合、前記伝送することは、
前記少なくとも２つの第２部分を、別々の変調、別々の符号化、または別々の伝送電力の少なくとも１つを使用して伝送すること
を含む、請求項１から５のいずれかに記載の方法。
【請求項７】
前記第１部分は、割り当てテーブル・ヘッダを含み、前記ユーザに対する個別のエントリは含まず、前記第２部分は、前記ユーザ群に対する個別のエントリを含む、請求項１から６のいずれかに記載の方法。
【請求項８】
前記ユーザ群により事前に知られている前記トランスポート・フォーマットは第１トランスポート・フォーマットを含み、前記伝送することは、第２トランスポート・フォーマットを使用して前記少なくとも１つの第２部分を伝送することを含む、請求項１から７のいずれかに記載の方法。
【請求項９】
前記伝送することは、前記第１および第２の部分のうち少なくとも１つを、固定数のサブキャリアのセットを含む周波数帯域幅部分にマップすることを含む、請求項１から８のいずれかに記載の方法。
【請求項１０】
複数のリソースをユーザ群に割り当てるための複数のコンピュータ命令を含むメモリであって、前記命令を実行するプロセッサが、
ネットワーク・ノードによる複数のリソース割り当てのそれぞれに関して、割り当てテーブルを、固定長の第１部分と、少なくとも１つの可変長の第２部分とに区分することと；
ユーザ群により事前に知られているトランスポート・フォーマットを少なくとも前記第１部分に対して使用して、前記ネットワーク・ノードから前記ユーザ群へ、前記割り当てテーブルの前記部分を伝送することと；
を含む動作を遂行するためのコンピュータ命令を含む、メモリ。
【請求項１１】
前記第１部分は、前記少なくとも１つの第２部分の長さについての情報を含む、請求項１０に記載のコンピュータ命令を含むメモリ。
【請求項１２】
前記割り当てテーブルのうち特定の割り当てテーブルが２つ以上の第２部分を含む場合には少なくとも、前記特定の割り当てテーブルの前記第１部分は、前記特定の割り当てテーブル内の第２部分の数についての情報を含む、請求項１０又は１１に記載の複数のコンピュータ命令を含むメモリ。
【請求項１３】
前記第１部分は、前記少なくとも１つの第２部分のリソース位置についての情報を含む、請求項１２に記載のコンピュータ命令を含むメモリ。
【請求項１４】
前記第２部分は、ユーザ機器固有エントリのリソース・シグナリングをそれぞれ含む１つ以上のチャネル符号化ブロックを含む、請求項１０から１３のいずれかに記載のコンピュータ命令を含むメモリ。
【請求項１５】
前記割り当てテーブルを少なくとも２つの第２部分に区分する場合、前記伝送することは、
前記少なくとも２つの第２部分を、別々の変調、別々の符号化、または別々の伝送電力の少なくとも１つを使用して伝送すること
を含む、請求項１０から１４のいずれかに記載のコンピュータ命令を含むメモリ。
【請求項１６】
前記ユーザ群により事前に知られている前記トランスポート・フォーマットは第１トランスポート・フォーマットを含み、前記伝送することは、第２トランスポート・フォーマットを使用して前記少なくとも１つの第２部分を伝送することを含む、請求項１０から１５のいずれかに記載のコンピュータ命令を含むメモリ。
【請求項１７】
複数のリソース割り当てのそれぞれに関して、割り当てテーブルを、固定長の第１部分と、少なくとも１つの可変長の第２部分とに区分するように構成される、プロセッサと；
ユーザ群により事前に知られているトランスポート・フォーマットを少なくとも前記第１部分に対して使用して、前記割り当てテーブルの前記部分を前記ユーザ群へ、伝送するように構成される送信機と；
を含む、装置。
【請求項１８】
前記第１部分は、前記少なくとも１つの第２部分の長さについての情報を含む、請求項１７に記載の装置。
【請求項１９】
前記割り当てテーブルのうち特定の割り当てテーブルが２つ以上の第２部分を含む場合には少なくとも、前記特定の割り当てテーブルの前記第１部分は、前記特定の割り当てテーブル内の第２部分の数についての情報を含む、請求項１７又は１８に記載の装置。
【請求項２０】
前記第１部分は、前記少なくとも１つの第２部分のリソース位置についての情報を含む、請求項１７から１９のいずれかに記載の装置。
【請求項２１】
前記第２部分は、ユーザ機器固有エントリのリソース・シグナリングをそれぞれ含む１つ以上のチャネル符号化ブロックを含む、請求項１７から２０のいずれかに記載の装置。
【請求項２２】
前記プロセッサが、前記割り当てテーブルを少なくとも２つの第２部分に区分する場合、前記送信機は、前記少なくとも２つの第２部分を、別々の変調、別々の符号化、または別々の伝送電力の少なくとも１つを使用して伝送するように構成される、請求項１７から２１のいずれかに記載の装置。
【請求項２３】
前記ユーザ群により事前に知られている前記トランスポート・フォーマットは第１トランスポート・フォーマットを含み、前記送信機は、第２トランスポート・フォーマットを使用して前記少なくとも１つの第２部分を伝送するように構成される、請求項１７から２２のいずれかに記載の装置。
【請求項２４】
前記送信機は、前記第１および第２の部分のうち少なくとも１つを、固定数のサブキャリアのセットを含む周波数帯域幅部分にマップするように構成される、請求項１７から２３のいずれかに記載の装置。
【請求項２５】
区分された割り当てテーブルを受信するように構成される受信機と；
前記割り当てテーブルの固定長第１部分を既知のチャネル符号化ブロックで処理すると共に、少なくとも１つの可変長第２部分が正しく受信されたと判断し、前記デバイスに対するリソース割り当てが完全に受信されたと前記割り当てテーブルから判断するべく、前記割り当てテーブルの前記可変長第２部分を処理するように構成されるプロセッサと；
を含む装置。
【請求項２６】
前記プロセッサは、前記少なくとも１つの第２部分の長さを前記第１部分から判断し、前記判断された長さを使用して、前記少なくとも１つの第２部分を復号するように構成される、請求項２５に記載の装置。